(57)【特許請求の範囲】
【請求項１】
モニタ上に表示された動画データを編集し、編集された動画データをデジタル圧縮符号化することが可能な動画編集方法において、
前記動画像データの中から選択された画質変更対象の画像に対してその画質を変化させるためのデータ加工処理を施し、
データ加工処理前とデータ加工処理後の画質差に基づく圧縮後のデータサイズ差に基づいて、前記データ加工処理された後の編集結果画像についての圧縮後のファイルサイズを算出し、
その算出したファイルサイズを示すファイルサイズ情報を、前記モニタ上に表示することを特徴とする動画編集方法。
【請求項２】
前記モニタ上に表示された動画データに対して少なくともシーン削除を含む動画データ編集処理を行うステップと、
前記動画データ編集処理によって得られた編集結果画像について、その再生時の時間的長さと、圧縮後のファイルサイズとを算出するステップと、
その算出した時間的長さを示す時間情報とファイルサイズを示すファイルサイズ情報とを、前記モニタ上に表示するステップとをさらに具備し、
前記データ加工処理は、前記動画データ編集処理によって得られた編集結果画像に対して実行されるものであることを特徴とする請求項１記載の動画像編集方法。
【請求項３】
編集画面上で動画データを編集し、その編集結果を、デジタル圧縮符号化されたデータを書き込むことが可能な記憶媒体上に記録する動画編集システムにおいて、
前記動画像データの中から選択された画質変更対象の画像に対してその画質を変化させるためのデータ加工処理を施す手段と、
データ加工処理前とデータ加工処理後の画質差に基づく圧縮後のデータサイズ差に基づいて、前記データ加工処理された後の編集結果画像についての圧縮後のファイルサイズを算出する手段と、
その算出したファイルサイズを示すファイルサイズ情報を、前記編集画面上に表示する手段とを具備することを特徴とする動画像編集システム。
【請求項４】
前記編集画面上に表示された動画データに対して少なくともシーン削除を含む動画データ編集処理を行う手段と、
前記動画データ編集処理によって得られた編集結果画像について、その再生時の時間的長さと、圧縮後のファイルサイズとを算出する手段と、
その算出した時間的長さを示す時間情報とファイルサイズを示すファイルサイズ情報とを、前記編集画面上に表示する手段とをさらに具備し、
前記データ加工処理を施す手段は、前記動画データ編集処理によって得られた編集結果画像に対して前記データ加工処理を施すことを特徴とする請求項３記載の動画像編集システム。
【請求項５】
モニタ上に表示された動画データを編集し、編集された動画データをデジタル圧縮符号化することが可能なコンピュータにおいて、
前記動画像データの中から選択された画質変更対象の画像に対してその画質を変化させるためのデータ加工処理を施す手段と、
データ加工処理前とデータ加工処理後の画質差に基づく圧縮後のデータサイズ差に基づいて、前記データ加工処理された後の編集結果画像についての圧縮後のファイルサイズを算出する手段と、
その算出したファイルサイズを示すファイルサイズ情報を、前記モニタ上に表示する手段とを具備することを特徴とするコンピュータ。
【請求項６】
前記モニタ上に表示された動画データに対して少なくともシーン削除を含む動画データ編集処理を行う手段と、
前記動画データ編集処理によって得られた編集結果画像について、その再生時の時間的長さと、圧縮後のファイルサイズとを算出する手段と、
その算出した時間的長さを示す時間情報とファイルサイズを示すファイルサイズ情報とを、前記モニタ上に表示する手段とをさらに具備し、
前記データ加工処理を施す手段は、前記動画データ編集処理によって得られた編集結果画像に対して前記データ加工処理を施すことを特徴とする請求項５記載のコンピュータ。
【発明の詳細な説明】
【０００１】
【発明の属する技術分野】
この発明は動画像編集方法および同方法を適用したシステムに関し、ＤＶＤ−ＲＡＭのようにデジタル圧縮符号化された動画データを書き込むことが可能な記録媒体を用いて動画編集を行う動画像編集方法および同方法を適用したシステムに関する。
【０００２】
【従来の技術】
従来から画像編集システムは、数多く開発され、さまざまな工夫が凝らされている。その中には、動画を扱うものも多い。その多くは、業務用途の大きなシステムであった。そこで用いられる記憶装置は、最終的にはテープや光ディスクに記憶するものの、編集作業の間は、複数の磁気ディスク装置を用いるのが一般的であった。このため、種々の処理をするのに十分なファイル容量を持つシステムとなっていた。その典型例は、コンピュータ・グラフィックス処理システムである。
【０００３】
また、従来は動画像のデータ圧縮技術を一般に用いることはなかったので、動画像ファイルに必要なデータ容量は、動画像の時間的な長さに比例していた。そのため、従来の動画像処理においては、動画像の時間的長さを主に管理することによって、同時に画像ファイルのデータ量も管理していた。
【０００４】
例えば、１時間の録画時間を持つ画像データを編集によって３０分の画像データにするような場合は、シーンカットなどによって３０分だけ画像データを短くすればよく、この場合、その編集結果を記録するために必要なデータサイズは原画データサイズの半分となる。
【０００５】
ところで、近年になって、動画の圧縮技術が進み、ＭＰＥＧ２として標準化され、一般にも広く利用されるようになってきた。ＭＰＥＧ２の圧縮を行った後のファイル容量は、動画像の時間的長さだけでは決まらず、その動画像の画像の性質によって、また、画質の調整をすることによって、大幅に変化することが広く知られている。
【０００６】
一方、ファイル装置のデータ容量も飛躍的に増えている。現在、ＭＰＥＧ２によってディジタル圧縮符号化されたデータを書き込むことが可能な記憶媒体としてＤＶＤ−ＲＡＭが開発されており、動画像のように大きなデータ容量を必要とするファイリングの目的に利用できるようになってきた。したがって、従来のように動画像の編集やファイリング処理を、一般的なデータ処理装置、パーソナル・コンピュータ（ＰＣ）などでも行える可能性が出てきた。
【０００７】
このようなＤＶＤ−ＲＡＭに編集結果を書き込む場合には、従来のように動画像の時間的長さだけのパラメタだけでは、その記録に必要なファイルサイズを管理することはできない。ＭＰＥＧ２の圧縮を行った後のファイル容量は、前述したように、動画像の時間的長さだけでは決まらず、その動画像の画像の性質によって、また、画質の調整をすることによって、大幅に変化するからである。
【０００８】
しかし、従来の画像編集システムでは、編集後の動画データがどの程度のファイルサイズでＤＶＤ−ＲＡＭに記録されるかを知ることはできない。このため、編集後のファイルサイズを意識した動画編集を行うことは困難であった。
【０００９】
【発明が解決しようとする課題】
上述のように、従来では、時間的長さのみでデータサイズを管理しており、編集後の動画像データをＭＰＥＧ２などによってディジタル圧縮符号化してＤＶＤ−ＲＡＭに記憶するような編集システムでは、編集後のファイルサイズを意識した動画編集を行うことができないという問題があった。
【００１０】
この発明はこのような点に鑑みてなされたものであり、動画像の時間的長さとともに、動画像の占めるファイル容量の制約をも考慮して動画の編集およびファイリングを行うのに好適な動画像編集方法および同方法を適用したシステムを提供することを目的とする。
【００１１】
【課題を解決するための手段】
この発明は、モニタ上に表示された動画データを編集し、編集された動画データをデジタル圧縮符号化することが可能な動画編集方法において、前記動画像データの中から選択された画質変更対象の画像に対してその画質を変化させるためのデータ加工処理を施し、データ加工処理前とデータ加工処理後の画質差に基づく圧縮後のデータサイズ差に基づいて、前記データ加工処理された後の編集結果画像についての圧縮後のファイルサイズを算出し、その算出したファイルサイズを示すファイルサイズ情報を、前記モニタ上に表示することを特徴とする。
また、この発明は、上記構成に、前記モニタ上に表示された動画データに対して少なくともシーン削除を含む動画データ編集処理を行うステップと、前記動画データ編集処理によって得られた編集結果画像について、その再生時の時間的長さと、圧縮後のファイルサイズとを算出するステップと、その算出した時間的長さを示す時間情報とファイルサイズを示すファイルサイズ情報とを、前記モニタ上に表示するステップとをさらに具備し、前記データ加工処理は、前記動画データ編集処理によって得られた編集結果画像に対して実行されるものであることを特徴とする。
【００１２】
この動画編集方法においては、例えば、編集結果画像を実際にＭＰＥＧ２などで圧縮したり、あるいは編集結果画像のシーン毎に代表フレームを取り出してそのフレーム内圧縮を行ってその合計サイズから圧縮後のファイルサイズを類推するなどの手法によって、編集結果画像についての圧縮後のファイルサイズが算出される。そして、その算出したファイルサイズを示すファイルサイズ情報が前記編集画面上に図形などを用いたグラフィカル表示にて表示され、ユーザに提示される。したがって、動画像の占めるファイル容量の制約をも考慮して動画の編集を行うことが可能となり、デジタル圧縮符号化された動画データを書き込む事ができるＤＶＤ−ＲＡＭなどをファイリング装置として用いた動画編集システムに最適な環境を実現することができる。
【００１３】
編集対象となる動画像はカメラやビデオ機器から取り込むこともできるが、ＤＶＤ−ＲＡＭからそこにデジタル圧縮符号化されて記憶されている動画データを読み出し、それを編集した後に再びＤＶＤ−ＲＡＭに書き込むといった運用を行うこともできる。この場合には、デジタル圧縮符号化された動画データを復号しながらその動画像を編集画面上で再生することになる。復号後の動画像のデータ量は膨大であるため、編集時にはどのような編集を行うかについての管理テーブルのみを作成し、実際の編集処理は再度動画データを読み出しながら行うことが好ましい。この場合、デジタル圧縮符号化されたデータを書き込むことが可能な記憶媒体から読み出した動画データを復号して、その復号した動画像を編集画面上で再生し、この動画像再生処理時に編集対象となるシーンの選択および編集作業指示を行い、そして、シーンの選択および編集作業指示に従った動画像編集処理を、前記動画データを再度再生しながら行うことになる。これにより、ＰＣ上で大容量の動画データの編集を行うことも可能となる。
【００１４】
また、編集結果画像の圧縮後のファイルサイズが目的値よりも大きい場合などには、動画像データの中からユーザなどによって選択された画質変更対象の画像に対してその画質を変化させるためのデータ加工処理を施し、データ加工処理前とデータ加工処理後の画質差に基づく圧縮後のデータサイズ差に基づいて、前記データ加工処理された後の編集結果画像についての圧縮後のファイルサイズを算出し、その算出したファイルサイズを示すファイルサイズ情報を、編集画面上に再表示することが好ましい。
【００１５】
これにより、編集結果画像の圧縮後のファイルサイズが目的値よりも大きい場合であっても、シーンカットなどを行うことなく、例えば、画像の背景部分などの重要性の低い部分を指定してそこに低域フィルタをかけてぼかすなどのデータ加工を行うことにより、圧縮後のファイルサイズを調整することが可能となる。
【００１６】
また、動画データ編集処理によって得られた編集結果画像について、その再生時の時間的長さと、圧縮後のファイルサイズとを算出し、その算出した時間的長さを示す時間情報とファイルサイズを示すファイルサイズ情報の双方を、編集画面上に表示できるようにすることにより、ユーザは、まず、時間的長さの情報を基にシーンカット、つなぎ換えなどの編集を行い、その後、ファイルサイズ情報を基に圧縮後のファイルサイズを調整するといった効率的な編集作業を行うことが可能となる。
【００１７】
【発明の実施の形態】
以下、図面を参照してこの発明の実施形態について説明する。
【００１８】
図１には、この発明の一実施形態に係る動画編集方法が適用されるパーソナルコンピュータのシステム構成が示されている。
【００１９】
このシステムはノートブック型のコンピュータであり、図示のように、システムバス１０、ＣＰＵ１１、システムメモリ（ＭＥＭ）１２、ＨＤＤ１３、キーボード（ＫＢ）１５、ＭＰＥＧ２エンコーダ１４、ＤＶＤドライブインタフェース１６、オーディオコントローラ１７、ＰＣカードコントローラ１８、ディスプレイコントローラ１９、ビデオメモリ（ＶＲＡＭ）２０を備えており、ＭＰＥＧ２によって符号化された動画データなどの書き込みが可能なＤＶＤ−ＲＡＭドライブ２１はＡＴＡＰＩやＳＣＳＩインターフェースから構成されるＤＶＤインタフェース１６に接続され、またＭＲＥＧ２デコーダカード２５およびビデオキャプチャカード２６はそれぞれＰＣカードソケットに装着される。
【００２０】
ＤＶＤ−ＲＡＭドライブ２１には、ディスク両面で１０ＧＢ程度の記憶容量を持つ書き込み可能な光ディスク（ＤＶＤ−ＲＡＭメディア）が収容されている。このＤＶＤ−ＲＡＭドライブ２１は、最大で１０Ｍｂｐｓ程度のデータ転送レートでデータのリード・ライト転送を行うことができる。ＤＶＤ−ＲＡＭドライブ２１の光ディスクには、例えば、片面で１３５分程度の動画を記録させることができる。この動画の情報には、主映像（ビデオ）、１６チャネルまでの副映像（サブピクチャ）、および８チャネルまでの音声（オーディオ）を含ませることができる。
【００２１】
この場合、これらビデオ、サブピクチャ、およびオーディオはそれぞれＭＰＥＧ２規格でデジタル符号化されて記録される。ＭＰＥＧ２規格では、ＭＰＥＧ２で符号化されたデータに、他の符号化データを含ませることがことができ、それら符号化データは１本のＭＰＥＧビットストリーム（デジタルデータ列）として扱われる。
【００２２】
したがって、この実施形態では、ビデオの符号化にＭＰＥＧ２を使用し、サブピクチャおよびオーディオの符号化にはそれぞれランレングス符号化およびＤＯＬＢＹ  ＡＣ３を使用するものとする。この場合でも、それら符号化されたビデオ、サブピクチャ、およびオーディオは、１本のＭＰＥＧビットストリームとして扱われる。
【００２３】
ＭＰＥＧ２規格の符号化処理は可変速符号化であり、データ転送レートを可変することができる。このため、ビデオデータについては単位時間当りに記録／再生する情報量を異ならせることができる。よって、動きの激しいシーンほど、それに対応するフレーム群を構成するＭＰＥＧビットストリームの転送レートを高くすることによって、高品質の動画再生が可能となる。
【００２４】
この実施形態では、ＤＶＤ−ＲＡＭドライブ２１は動画の編集結果を保存するためのファイリング装置として利用されるが、このＤＶＤ−ＲＡＭドライブ２１から読み出した動画を編集してそれをＤＶＤ−ＲＡＭドライブ２１に再書き込みする事もできる。
【００２５】
ＣＰＵ１１は、このシステム全体の動作を制御するものであり、システムメモリ（ＭＥＭ）１２に格納されたオペレーティングシステム、および動画編集プログラムなどの実行対象のアプリケーションプログラムを実行する。
【００２６】
ＤＶＤインタフェース１６は、ＨＤＤやＣＤ−ＲＯＭなどの周辺装置をシステムバス１０に接続するための周辺インタフェースであり、ここでは、ＭＰＥＧ２エンコーダ１４とＤＶＤ−ＲＡＭドライブ２１との間のデータ転送などに使用される。
【００２７】
オーディオコントローラ１７は、ＣＰＵ１１の制御の下にサウンドデータの入出力制御を行うものであり、サウンド出力のために、ＰＣＭ音源１７１、ＦＭ音源１７２、マルチプレクサ１７３、およびＤ／Ａコンバータ１７４を備えている。マルチプレクサ１７３には、ＰＣＭ音源１７１およびＦＭ音源１７２からの出力と、ビデオキャプチャカード２６で取り込まれた編集対象映像に含まれるデジタルオーディオデータがＰＣカードコントローラ１８経由で入力され、それらの１つが選択される。
【００２８】
ＰＣカードコントローラ１８からオーディオコントローラ１７へのデジタルオーディオデータの転送には、オーディオバス１８ａが用いられ、システムバス１０は使用されない。このオーディオバス１８ａはＺＶポートを利用して実現されている。従って、デジタルオーディオデータの高速転送が可能となる。
【００２９】
また、ビデオキャプチャカード２６で取り込まれた編集対象映像中の動画データについても、ＺＶポートから成るビデオバス１８ｂを介してディスプレイコントローラ１９に送られる。
【００３０】
ディスプレイコントローラ１９は、ＣＰＵ１１の制御の下に、このシステムのディスプレイモニタとして使用されるＬＣＤ２４を制御するものであり、ＶＧＡ仕様のテキストおよびグラフィクス表示の他、動画表示をサポートする。
【００３１】
このディスプレイコントローラ１９には、図示のように、グラフィックス表示制御回路（Graphics）１９１、ビデオ表示制御回路１９２、マルチプレクサ１９３等が設けられている。
【００３２】
グラフィックス表示制御回路１９１は、ＶＧＡ互換のグラフィックスコントローラであり、ビデオメモリ（ＶＲＡＭ）２０に描画されたＶＧＡのグラフィクスデータをＲＧＢビデオデータに変換して出力する。ビデオ表示制御回路１９２は、動画データを貯えるビデオバッファ、及び同バッファに貯えられた動画データの信号形式ＹＵＶをＲＧＢ形式に変換するＹＵＢ−ＲＧＢ変換回路等をもつ。
【００３３】
マルチプレクサ１９３は、グラフィックス表示制御回路１９１とビデオ表示制御回路１９２の出力データの一方を選択、またはグラフィックス表示制御回路１９１からのＶＧＡグラフィクス上にビデオ表示制御回路１９２からのビデオ出力を合成して出力する。
【００３４】
ＭＰＥＧ２エンコーダ１４は、編集結果後の映像（動画および音声）に対してＭＰＥＧ２の符号化処理を施して、ＤＶＤ−ＲＡＭドライブ２１に転送する。
【００３５】
ＭＰＥＧ２デコーダカード２５は、ＤＶＤ−ＲＡＭドライブ２１から読み出された映像などのようなＭＰＥＧ２のビットストリームを編集する場合に使用されるものであり、ＤＶＤ−ＲＡＭドライブ２１に格納された映像を編集する場合には、ＤＶＤ−ＲＡＭドライブ２１からのＭＰＥＧビットストリームを受信し、それをビデオ、サブピクチャ、およびオーディオパケットに分離した後、それらをそれぞれデコード処理し同期化して出力する。
【００３６】
デコードされたオーディオデータは、前述したようにデジタルオーディオデータとしてオーディオバス１８ａを介してオーディオコントローラ１８ａに転送される。また、デコードされたビデオおよびサブピクチャは合成されて、ビデオバス１８ｂを介してデジタルＹＵＶデータとしてディスプレイコントローラ１９に送られる。
【００３７】
次に、図３および図４を参照して、本実施形態の動画編集処理で使用される編集画面を説明する。
【００３８】
ＤＶＤ−ＲＡＭドライブ２１に格納されている原画像は、そのＤＶＤ−ＲＡＭの一つディレクトリの下に格納されている一連のファイルとして、または、ＤＶＤ−ＲＡＭの一つのファイルとして与えられる。本実施形態の画像編集プログラムを起動すると、そのディレクトリ名またはファイル名を入力するためのメニュー（一般的なものであり、図示せず）が表示される。また、ビデオキャプチャカードから入力した原画像についても、それをＨＤＤ１３に格納しておくことになり、同様のメニューを表示することができる。
【００３９】
このメニュー中には、その動画の目的の時間的長さおよびファイル・データ量を、オプションとして入力できる。目的の長さが入力された場合は、図３の編集画面に示すように、一般的な時間軸スケール３４と対比して、その目的の時間的長さ３６が表示される。編集処理の結果、動画の長さが短くなると、それに応じてスケール３４が短くなるわけであるが、この実施形態ではスケール３４と３６の長い方の長さを一定にして表示するので、この場合、実際には、目標スケール３６の長さが長くなる。
【００４０】
時間軸スケール３４の上にカーソル３５があり、その時点に対応する画像がウインドウ３０に表示される。カーソル３０を動かすためのボタン群３１は従来の編集システムと同様に再生、早送り、巻き戻し、停止などを指示するためのものである。また、動画像編集などの目的のボタン類も画面上に配置される。
【００４１】
また、キーボード１５のシフト・キーを押しながら動画像を再生すると、その部分が編集対象として選択され、時間軸スケール上の太線３７によってその編集領域が示される。モード表示選択部３２は、この画面が従来と同じく時間軸で制御される時間表示モードであることを示している。
【００４２】
モード表示選択部３２の▽印のボタンを押して、ファイル量表示モードを選択することにより、本発明にかかる新規な編集画面が図４のように表示される。
【００４３】
図４のウインドウ３０、モード表示選択部３２は、図３と同じである（モードの表示は、もちろん、ファイル量表示モードを示すように変わっている）。時間軸スケール３４の代わりに、ファイル量スケール４４が表示される。前述のオプショナルな目的ファイル量が入力された場合には、それに対応して、目標ファイル量バー４６が表示される。両者の関係は、時間軸モードの場合と同じである。ファイル量スケール４４の長さは、編集対象画像の圧縮後のファイルサイズに対応している。カーソル４５は、ファイル量スケール４４で示される全体のファイルサイズの中でウインドウ３０に現在表示されている画像の位置の概略を示すものであり、時間軸モードのカーソルと明確に区別できる丸型のカーソル形状が利用されている。データ量の計算は概略的に行われるので、それに対応してこのモードでは、カーソル形状も概略位置を示す感じの強い丸型を用いているのである。これに対し、時間軸上の現在の位置は通常は厳密に決まるので、それに対応して、時間軸モードのカーソルは図３のように先の尖った点をもち正確に位置を示す感じの強い形状を用いることが好ましい。編集対象として選択された部分のデータ量を表す棒４７も、その両端は半円形に丸められている。
【００４４】
このようにして、利用者は、動画の時間軸長さだけでなく、そのファイルの圧縮後の大きさについても、目標サイズと現状のサイズを容易に可視的、直観的に知ることができるので、編集方針を適切に選択できる。たとえば、時間軸での現在長と目標との比に比べて、ファイル量で見た比が大きい場合は、さらにファイル量を減らす努力をしなければならないことが明らかである。ファイル量を減らすためには、画像品質を若干犠牲にしてＭＰＥＧ２の圧縮率を高く設定することができる。また、画像の背景部分など重要性の低い部分を指定して低減フィルタをかけてぼかすことによっても圧縮率を高められる。このような選択を利用者が適切に行えるようにするための情報が、図３、図４の編集画面により、利用者にとって自然な形で与えられる。
【００４５】
次に、図３、図４の編集画面を用いた動画編集処理の手順を、図２のフローチャートを参照して説明する。
【００４６】
まず、動画編集処理プログラムが起動されると、まず、時間スケールの編集画面（図３）が表示され、その編集画面上で、シーンカット、シーンのつなぎ換えなどの編集処理が行われる（ステップＳ１０１）。この後、ユーザによるモード表示選択部３２の操作が行われると、ファイルサイズスケールの編集画面（図４）に切り替えられる。そして、その編集画面上には、図３の編集画面で編集された動画データをＭＰＥＧ２で圧縮した時のファイルサイズがファイル量スケール４４の長さによって提示される（ステップＳ１０２）。圧縮後のファイルサイズは、編集結果をＭＰＥＧ２エンコーダ１４によって実際に圧縮してＤＶＤ−ＲＡＭに書き込み、そしてそのファイルサイズを調べることによっても算出できるが、図５のフローチャートに示されているように、編集結果画像のシーン毎に代表フレームを取り出してそのフレーム内圧縮をソフトウェア処理などによって行い（ステップＳ２０１）、そして、全てのフレーム内圧縮画像のサイズの合計サイズから圧縮後のファイルサイズを類推する（ステップＳ２０２）ことによっても算出することができる。
【００４７】
このようにして算出された圧縮後のファイルサイズが目標サイズよりも大きい場合には、図４の編集画面上でさらに編集処理が続けられる（ステップＳ１０３〜Ｓ１０６）。
【００４８】
この編集処理では、前述したように背景映像にフィルタをかけるなどのデータ加工処理を行う対象となるシーンが選択され、そのフィルタ処理後に対応した圧縮後のファイルサイズがファイル量スケール４４の長さの変化（図４における４４ａから４４ｂへの変化）によって提示される。この場合のファイルサイズ量は、図６のフローチャートに示されているように、フィルタ処理後のシーンについて代表フレームをフレーム内圧縮し（ステップＳ３０１）、その画像サイズとフィルタ処理前の対応するフレームの画像サイズとの差に基づいて類推する（ステップＳ３０２）ことによって算出することができる。
【００４９】
このように、本実施形態の動画編集方法では、例えば、編集結果画像を実際にＭＰＥＧ２などで圧縮したり、あるいは編集結果画像のシーン毎に代表フレームを取り出してそのフレーム内圧縮を行ってその合計サイズから圧縮後のファイルサイズを類推するなどの手法によって、編集結果画像についての圧縮後のファイルサイズが算出され、その算出したファイルサイズがファイル量スケール４４の長さによるグラフィカル表示にてユーザに提示される。したがって、動画像の占めるファイル容量の制約をも考慮して動画の編集を行うことが可能となり、デジタル圧縮符号化された動画データを書き込む事ができるＤＶＤ−ＲＡＭをファイリング装置として用いた動画編集システムに最適な環境を実現することができる。
【００５０】
また、編集結果画像の圧縮後のファイルサイズが目的値よりも大きい場合などには、動画像データの中からユーザによって選択されたファイル処理対象の画像に対してその画質を変化させる処理を施し、フィルタ処理前とフィルタ処理後の画質差に基づく圧縮後のデータサイズ差などに基づいて、フィルタ処理後の編集結果画像についての圧縮後のファイルサイズを算出し、その算出したファイルサイズを提示しているので、編集結果画像の圧縮後のファイルサイズが目的値よりも大きい場合であっても、シーンカットなどを行うことなく、画像の背景部分などの重要性の低い部分を指定してそこに低域フィルタをかけてぼかすなどのデータ加工を行うことにより、圧縮後のファイルサイズを調整することが可能となる。
【００５１】
編集対象となる動画像は前述したようにビデオキャプチャカード２６によってカメラやビデオ機器から取り込むこともできるが、ＤＶＤ−ＲＡＭドライブ２１からそこにデジタル圧縮符号化されて記憶されている動画データを読み出し、それを編集した後に再びＤＶＤ−ＲＡＭドライブ２１に書き込むといった運用を行うこともできる。この場合には、デジタル圧縮符号化された動画データをＭＰＥＧ２デコーダカード２５によって復号しながらその動画像を編集画面上で再生することになる。復号後の動画像のデータ量は膨大であるため、図２のフローチャートで説明した編集処理では編集対象となるシーンの選択および編集作業指示の内容を管理テーブルに記録する処理のみを行って実際の編集処理そのものは行わず、実際の編集処理については、編集内容が確定した後に、管理テーブルを参照して、再度動画データを読み出しながら行えばよい。この実際の編集処理については、コンピュータによって自動的に実行され、ユーザによる操作を必要としない。
【００５２】
また、図１のコンピュータにテレビを高性能シリアル・バス（たとえば、ＩＳＯ１３９４）で接続してもよい。この場合には、ウインドウ３０に表示する画像はテレビにも表示される。従って、ウインドウ３０を小さくして、時間軸スケールとファイル量スケールを同じ画面にならべて表示することによって、操作性が良くなる。
【００５３】
用途によっては、ファイル量表示モードにおけるボタン群４１の意味を、時間表示モードにおけるものと変えることによって、さらに操作性がよくなる。前述のようにＤＶＤ−ＲＡＭの一つのディレクトリの下の一連のファイルを対象とする場合、ファイル量表示モードでは、４１ａのキーをクリックすることにより直前のファイルへ、また、４１ｄのキーをクリックすることにより直後のファイルへ移るようにすると良い場合が多い。さらに、４１ｂのキーをクリックすることにより、直前のシーン・チェンジへ、また、４１ｃのキーをクリックすることにより直後のシーン・チェンジへ移るようにすると良い場合が多い。
【００５４】
また、図１ではノートブック型のコンピュータを例にとって説明したが、デスクトップ型のコンピュータであってもよい。この場合、ＭＰＥＧ２デコーダカードなどはコントローラＩＣとしてコンピュータ本体に内蔵することが好ましい。
【００５５】
【発明の効果】
以上説明したように、この発明によれば、動画像の時間的長さの情報だけでなく、その動画像の圧縮後のデータ量の情報についてもユーザに提供できるようになり、動画像の占めるファイル容量の制約をも考慮した動画の編集を行うことが可能になる。
【図面の簡単な説明】
【図１】この発明の一実施形態に係る画像編集システムを実現するためのパーソナルコンピュータのシステム構成を示すブロック図。
【図２】同実施形態における動画像編集処理の手順を示すフローチャート。
【図３】同実施形態における動画像編集処理で使用される第１の編集画面の例を示す図。
【図４】同実施形態における動画像編集処理で使用される第２の編集画面の例を示す図。
【図５】同実施形態における動画像編集処理で使用される第１のファイルサイズ算出処理の手順を示すフローチャート。
【図６】同実施形態における動画像編集処理で使用される第２のファイルサイズ算出処理の手順を示すフローチャート。
【符号の説明】
１１…ＣＰＵ、１２…システムメモリ、１３…ＨＤＤ、１５…キーボード、１４…ＭＰＥＧ２エンコーダ、１７…オーディオコントローラ、１８…ＰＣカードコントローラ、１９…ディスプレイコントローラ、２１…ＤＶＤ−ＲＡＭドライブ、２５…ＭＲＥＧ２デコーダカード、２６…ビデオキャプチャカード、３４…時間軸スケール、４４…ファイル量スケール。
【図１】
0003746112.tif 000002
【図２】
0003746112.tif 000003
【図３】
0003746112.tif 000004
【図４】
0003746112.tif 000005
【図５】
0003746112.tif 000006
【図６】
0003746112.tif 000007